(57)【要約】      （修正有） 【課題】携行使用に便利で、使用寿命が長い一枚式構造の電子低周波パルス粘着パッドを提供する。【解決手段】上蓋本体、中空支持筺体、制御回路ユニット、電源供給ユニット、台座、結合用出力伝送軟質膜とを含む。上蓋本体は収納スペースを有し、中空支持筺体は収納スペース内に配置され、上蓋本体の内側表面と結合する。制御回路ユニットは、中空支持筺体内に配置され、出力パルスを調整し、電源供給ユニットと電気的に結合する。結合用出力伝送軟質膜は、上蓋本体の底部と一体とする。【選択図】図１
0003158303.tif 000002
【実用新案登録請求の範囲】
【請求項１】
１枚式構造の電子低周波パルス粘着パッドであって、
その内部に収納スペースを有する軟質の上蓋本体と、
前記収納スペース内に配置され、その上方に第１カンチレバー弾性押圧側と第２カンチレバー弾性押圧側が配置され、且つ、前記第１カンチレバー弾性押圧側と前記第２カンチレバー弾性押圧側がいずれも前記軟質の上蓋本体の内側表面と結合する中空支持筐体と、
前記中空支持筐体内に配置され、その上に少なくとも１つの第１低周波パルスの出力側、少なくとも１つの第２低周波パルスの出力側、及び、第１制御側と第２制御側が配置され、前記第１制御側と前記第２制御側がそれぞれ前記第１カンチレバー弾性押圧側、及び、前記第２カンチレバー弾性押圧側と結合し、前記第１カンチレバー弾性押圧側、及び、前記第２カンチレバー弾性押圧側のトリガ回数によって前記少なくとも１つの第１低周波パルスの出力側、及び、前記少なくとも１つの第２低周波パルスの出力側の出力パルスを調整する制御回路ユニットと、
前記制御回路ユニットの作動時に必要な電力を供給するため、前記制御回路ユニットと電気的に結合される電源供給ユニットと、
前記中空支持筐体の底部に連結し、前記制御回路ユニットと前記電源供給ユニットを前記中空支持筐体内に固定され、且つその上に前記少なくとも１つの第１低周波パルスの出力側と電気的に結合する少なくとも１つの第１導電側、及び、前記少なくとも１つの第２低周波パルスの出力側と電気的に結合する少なくとも１つの第２導電側が配置された台座、及び、
前記軟質の上蓋本体の底部と一体として連結し、その中央に開口部が配置され、前記開口部の周縁に前記少なくとも１つの第１導電側と電気的に接続する少なくとも１つの第１導電接触凸片、及び、前記少なくとも１つの第２導電側と電気的に接続する少なくとも１つの第２導電接触凸片が配置され、且つ、その裏面に前記少なくとも１つの第１導電接触凸片と電気的に接続する第１低周波パルスの出力エリア、及び、前記少なくとも１つの第２導電接触凸片と電気的に接続する第２低周波パルスの出力エリアが配置される結合用出力伝送軟質膜と、を含むことを特徴とする１枚式構造の電子低周波パルス粘着パッド。
【請求項２】
前記軟質の上蓋本体の材質は、軟性防水シリコンとＴＰＵ材質のうちのいずれかを選択できることを特徴とする請求項１に記載の１枚式構造の電子低周波パルス粘着パッド。
【請求項３】
前記軟質の上蓋本体の上方に第１記号、及び、第２記号を備え、且つ、前記第１記号、及び、前記第２記号はいずれも凸点記号であることを特徴とする請求項１に記載の１枚式構造の電子低周波パルス粘着パッド。
【請求項４】
前記台座の周縁に配置される若干の弾性係止片と一体として連結するため、前記中空支持筐体の周縁に若干の挿通溝が配置され、並びに、前記少なくとも１つの第１導電側と電気的に接続する前記少なくとも１つの第１導電接触凸片、及び、前記少なくとも１つの第２導電側と電気的に接続する前記少なくとも１つの第２導電接触凸片のクロスオーバー構造を固定することを特徴とする請求項１に記載の１枚式構造の電子低周波パルス粘着パッド。
【請求項５】
前記結合用出力伝送軟質膜の下方に伝導結合粘着パッドセットが配置され、前記伝導結合粘着パッドセットが前記第１低周波パルスの出力エリアと対応するよう貼り合せることができる第１伝導結合粘着パッド、及び、前記第２低周波パルスの出力エリアと対応するよう貼り合せることができる第２伝導結合粘着パッドを備えることを特徴とする請求項１に記載の１枚式構造の電子低周波パルス粘着パッド。
【請求項６】
前記台座の中央が更に貫通部を含み、且つ、下蓋体で前記貫通部を閉鎖させることができることを特徴とする請求項１に記載の１枚式構造の電子低周波パルス粘着パッド。
【考案の詳細な説明】
【技術分野】
【０００１】
本考案は、痛みを治療、軽減する粘着パッドに関し、特に、電子回路と機体外観が一体成形された簡単な構造で、人体に貼り付けることができ、また伸縮性を持つ１枚式構造の電子低周波パルス粘着パッドで、体の各種痛みの治療と軽減に応用できる電子粘着パッドに関する。
【背景技術】
【０００２】
長時間の労働或いは激しい運動後、体に筋肉痛の状況がよく発生する。しかしながら、国内外の文献と米国食品医薬局（Ｆｏｏｄ ａｎｄ Ｄｒｕｇ Ａｄｍｉｎｉｓｔｒａｔｉｏｎ、ＦＤＡ）から実証と開示された多くの資料によると、痛みの軽減、治療のいずれにも低周波を使用されることは効果があると示されているため、ここにその効果について繰り返して記述することはない。
これにより、市販の大部分の低周波マッサージ器は、均しく人体と接触する1枚の導電布及び導子コードを通じて導電布と電気的に接続する機能選択のコントローラ１台からなる。しかし、導子コードは利用者の操作において不便が起き、しかも導子コードを通じて伝導するため、距離という制限があり、患者が機器本体からある程度距離が離れる場合、使用において、非常に不便であった。
【０００３】
このほか、機能選択のコントローラ及び導電布を備える低周波マッサージ器は、多種類の周波数制御機能を有するため、その製造コストが相対的に高く、且つ機能選択のコントローラが一定の体積を持つため、携行して使用することには不便でなり、これによりこの種の低周波マッサージ器は実用化されることが難しかった。
【０００４】
以上の記述の通り、製造コストが増えないという前提のもと、いかにして無線携帯型低周波冶療器が携行使用に便利で、並びに使用寿命を延ばせるかという効果が、実際実用性の課題となっている。
【考案の概要】
【考案が解決しようとする課題】
【０００５】
上記問題を解決するため、本考案が提供する１枚式構造の電子低周波パルス粘着パッドは、その内部に収納スペースを有する軟質の上蓋本体と、該収納スペース内に配置され、その上方に第１カンチレバー弾性押圧側と第２カンチレバー弾性押圧側が配置され、且つ該第１カンチレバー弾性押圧側と該第２カンチレバー弾性押圧側がいずれも該軟質の上蓋本体の内側表面と結合する中空支持筐体と、該中空支持筐体内に配置され、その上に少なくとも１つの第１低周波パルスの出力側、少なくとも１つの第２低周波パルスの出力側及び第１制御側と第２制御側が配置され、該第１制御側及び該第２制御側がそれぞれ該第１カンチレバー弾性押圧側及び該第２カンチレバー弾性押圧側と結合し、該第１カンチレバー弾性押圧側及び該第２カンチレバー弾性押圧側のトリガ回数によって該少なくとも１つの第１低周波パルスの出力側及び該少なくとも１つの第２低周波パルスの出力側の出力パルスを調整する制御回路ユニットと、該制御回路ユニットの作動時に必要な電力を供給するため、該制御回路ユニットと電気的に結合される電源供給ユニットと、該中空支持筐体の底部に連結し、該制御回路ユニットと該電源供給ユニットを該中空支持筐体内に固定され、且つその上に該少なくとも１つの第１低周波パルスの出力側と電気的に結合する少なくとも１つの第１導電側及び該少なくとも１つの第２低周波パルスの出力側と電気的に結合する少なくとも１つの第２導電側が配置された台座、及び該軟質の上蓋本体の底部と一体として連結し、その中央に開口部が配置され、該開口部の周縁に該少なくとも１つの第１導電側と電気的に接続する少なくとも１つの第１導電接触凸片及び該少なくとも１つの第２導電側と電気的に接続する少なくとも１つの第２導電接触凸片が配置され、その裏面に該少なくとも１つの第１導電接触凸片と電気的に接続する第１低周波パルスの出力エリア及び該少なくとも１つの第２導電接触凸片と電気的に接続する第２低周波パルスの出力エリアが配置される結合用出力伝送軟質膜とを含む。
【課題を解決するための手段】
【０００６】
本考案は、電源と正負両極性の電流パルス出力を発生できる回路を配置内蔵し、機器本体と結合用伝導粘着パッドがフラットケーブルの使用と留め具を付加する必要がない状態で、外観と連結して1枚式シームレス、防水の構造を形成し、低周波パルス出力を発生する自己粘着の粘着パッド装置である１枚式構造の電子低周波パルス粘着パッドを提供する。
【図面の簡単な説明】
【０００７】
【図１】本考案の１枚式構造の電子低周波パルス粘着パッドの構造分解図である。
【図２】本考案の中空支持筐体の外観を示す図である。
【図３】本考案の台座外観を示す図である。
【図４ａ】本考案の制御回路ユニットの表面外観を示す図である。
【図４ｂ】本考案の制御回路ユニットの裏面外観を示す図である。
【図５】本考案の結合用出力伝送軟質膜外観を示す図である。
【図６】本考案の貼り付け保護層外観を示す図である。
【考案を実施するための形態】
【０００８】
本考案の詳細内容及び技術について、以下に説明する。
【０００９】
図１は本考案の１枚式構造の電子低周波パルス粘着パッドの構造分解図である。図１を参照にしながら説明する。図に示されるように、該１枚式構造の電子低周波パルス粘着パッド３０は、主に軟質の上蓋本体３１、中空支持筐体３２、制御回路ユニット３３、台座３４、電源供給ユニット３５及び結合用出力伝送軟質膜３７からなる。該軟質の上蓋本体３１は、外殻で、その材質が軟性防水シリコン或いはＴＰＵ材質のうちのいずれかになるよう選択できる。軟質の上蓋本体３１の上方に「＋」マークのある第１記号３１２及び「−」マークのある第２記号３１３を有するが、勿論いかなる記号でも代替することができる。軟質の上蓋本体３１内に収納スペース３１１を備える。このほか、第１記号３１２と第２記号３１３は、目の不自由な人が触って第１記号３１２と第２記号３１３が示す意味を理解できるよう、いずれも凸点記号とすることもできる。
【００１０】
中空支持筐体３２は、収納スペース３１１内に配置され、その上方に第１カンチレバー弾性押圧側（押圧部）３２１と第２カンチレバー弾性押圧側（押圧部）３２２が配置される。第１カンチレバー弾性押圧側３２１と第２カンチレバー弾性押圧側３２２が軟質の上蓋本体３１の内側表面と結合し、且つ第１カンチレバー弾性押圧側３２１及び第２カンチレバー弾性押圧側３２２の位置がそれぞれ第１記号３１２及び第２記号３１３の位置と相互に対応する。図２を参照にして説明すると、中空支持筐体３２の周縁に台座３４と一体として連結するための若干の挿通溝３２３が配置される。
【００１１】
図４ａと図４ｂを参照にしながら説明する。制御回路ユニット３３は、中空支持筐体３２内に配置する。制御回路ユニット３３には少なくとも１つの第１低周波パルスの出力側（出力部）３３３、少なくとも１つの第２低周波パルスの出力側（出力部）３３４及び第１制御側（制御部）３３１と第２制御側（制御部）３３２が配置される。第１制御側３３１及び第２制御側３３２は、それぞれ中空支持筐体３２の第１カンチレバー弾性押圧側３２１及び第２カンチレバー弾性押圧側３２２と結合し、以って第１カンチレバー弾性押圧側３２１と第２カンチレバー弾性押圧側３２２のトリガ回数によって少なくとも１つの第１低周波パルスの出力側３３３と少なくとも１つの第２低周波パルスの出力側３３４の出力パルスを調整する。制御回路ユニット３３は、電源供給ユニット３５と電気的に結合し、電源供給ユニット３５によりその作動時に必要な電力を供給する。このほか、制御回路ユニット３３に更に電源供給ユニット３５と直接電気的に接続するための電源接点３３５を配置することができる。
【００１２】
台座３４は、該中空支持筐体３２の底部に連結し、制御回路ユニット３３と電源供給ユニット３５を中空支持筐体３２内に固定される。図３を参照しながら説明する。台座３４に制御回路ユニット３３の少なくとも１つの第１低周波パルスの出力側３３３と電気的に結合する少なくとも１つの第１導電側（導電部）３４１及び該少なくとも１つの第２低周波パルスの出力側３３４と電気的に結合する少なくとも１つの第２導電側（導電部）３４２を配置され、これは本考案の１枚式構造の電子低周波パルス粘着パッド３０が１組或いは１組以上の正負極性出力（第１低周波パルスの出力側３３３を正極出力と見なし、第２低周波パルスの出力側３３４を負極出力と見なす）を具備することを示す。このほか、台座３４の周縁に若干の弾性係止片３４３が配置され、中空支持筐体３２の挿通溝３２３と対応するよう弾性的に係合し、台座３４と中空支持筐体３２が堅牢に一体化して連結させることができる。次に、台座３４の中央に貫通部３４４が配置することができ、且つ１枚式構造の電子低周波パルス粘着パッド３０が電力不足になった時、電源供給ユニット３５の交換の利便性を図るため、下蓋体３６で貫通部３４４を封鎖できる。
【００１３】
結合用出力伝送軟質膜３７は、該軟質の上蓋本体３１の底部と一体として連結し、その中央に開口部３７１が配置され、開口部３７１の周縁に台座３４の少なくとも１つの第１導電側３４１と電気的に接続する少なくとも１つの第１導電接触凸片３７２及び台座３４の少なくとも１つの第２導電側３４２と電気的に接続する少なくとも１つの第２導電接触凸片３７３が配置される。図５を参照にしながら説明すると、該結合用出力伝送軟質膜３７の裏面に更に少なくとも１つの第１導電接触凸片３７２と電気的に接続する第１低周波パルスの出力エリア３７４及び少なくとも１つの第２導電接触凸片３７３と電気的に接続する第２低周波パルスの出力エリア３７５が配置される。このほか、結合用出力伝送軟質膜３７の材質は、ポリエチレンテレフタレート（ＰＥＴ）とし、その裏面の第１低周波パルスの出力エリア３７４と第２低周波パルスの出力エリア３７５が印刷された導電性材料とする。また、結合用出力伝送軟質膜３７は、左右対称の第１伝導軟質膜と第２伝導軟質膜が結合したものからなることができる。開口部３７１は、両者の間に配置する。少なくとも１つの第１導電接触凸片３７２が第１伝導軟質膜の開口部３７１周縁に配置する。少なくとも１つの第２導電接触凸片３７３が第１伝導軟質膜の開口部３７１周縁に配置される。第１低周波パルスの出力エリア３７４と第２低周波パルスの出力エリア３７５は、それぞれ第１伝導軟質膜と第２伝導軟質膜の裏面に配置される。
【００１４】
本考案の１枚式構造の電子低周波パルス粘着パッド３０は、軟質の上蓋本体３１を利用した外殻とし、並びに結合用出力伝送軟質膜３７が自己粘着性であるため、軟質の上蓋本体３１下方に貼り、且つ第１低周波パルスの出力エリア３７４及び第１低周波パルスの出力エリア３７５は、結合用出力伝送軟質膜３７の両側に配置するため、伸縮性を持ち、利用者身体の各部位の弧度に合わせて折り曲げて貼り付けることができ、ねじ或いはその他の物質で固定させる必要がない。
【００１５】
このほか、本考案の１枚式構造の電子低周波パルス粘着パッド３０は、電源供給ユニット３５及び中空支持筐体３２を軟質の上蓋本体３１内に連結するため、一般的な低周波マッサージ器より大幅に体積が縮減され、製造コストも低廉するだけではなく、更に携行使用に利便となる効果を有し、且つ結合用出力伝送軟質膜３７と軟質の上蓋本体３１を貼り合わせた１枚式設計は、更に防水効果を発揮させることができ、非常に便利で実用的である。
【００１６】
次に、本考案の１枚式構造の電子低周波パルス粘着パッド３０の導電方法は、台座３４の少なくとも１つの第１導電側３４１及び少なくとも１つの第２導電側３４２を利用して結合用出力伝送軟質膜３７の少なくとも１つの第１導電接触凸片３７２及び少なくとも１つの第２導電接触凸片３７３に対して導電する。連結した時、少なくとも１つの第１導電接触凸片３７２及び少なくとも１つの第２導電接触凸片３７３は、台座３４の少なくとも１つの第１導電側３４１及び少なくとも１つの第２導電側３４２が上を向いて突き当たっている時、嵩上げられ、少なくとも１つの第１導電側３４１及び少なくとも１つの第２導電側３４２と一体として貼り合わせて、導電のクロスオーバー構造を形成してから、空支持筐体３２を利用して台座３４と連結してこの構造を固定し、このクロスオーバー構造が緩めにくくなり、このため、従来のフラットケーブルを使用する必要がなく、且つこの連結箇所は１枚式構造の電子低周波パルス粘着パッド３０の折り曲げに伴って折り曲げず、損傷を受けると共に回路の遮断状態発生を避けるため、使用上の寿命を延ばすことができる。
【００１７】
利用者が本考案の１枚式構造の電子低周波パルス粘着パッド３０を使用した時、特定部位に貼り付けた後、電源供給ユニット３５は、第１低周波パルスの出力側３３３、第１導電側３４１、第１導電接触凸片３７２を通じて第１低周波パルスの出力エリア３７４から低周波パルスの出力に必要な電力が供給され、また第２低周波パルスの出力エリア３７５、第２導電接触凸片３７３、第２導電側３４２及び第２低周波パルスの出力側３３４と電気的なループを形成し、第１低周波パルスの出力エリア３７４と第２低周波パルスの出力エリア３７５が人体に対応してちょうどループの負極と正極を形成させ、回路制御ユニット３３が発生した電子パルス（低周波）を人体に伝送させて痛み止めとリハビリ治療の目的を達成する。
【００１８】
また、結合用出力伝送軟質膜３７の下方に伝導結合粘着パッドセット３８を配置できる。この伝導結合粘着パッドセット３８は、第１低周波パルスの出力エリア３７４と対応するよう貼り合せることができる第１伝導結合粘着パッド３８１及び第２低周波パルスの出力エリア３７５と貼り合せることができる第２伝導結合粘着パッド３８２を具備し、回路制御ユニット３３が発生した電子パルス（低周波）が直接人体に作用することを避け、電子パルス（低周波）の衝撃強さ或いは灼熱感を緩和させる。
【図１】
0003158303.tif 000003
【図２】
0003158303.tif 000004
【図３】
0003158303.tif 000005
【図４ａ】
0003158303.tif 000006
【図４ｂ】
0003158303.tif 000007
【図５】
0003158303.tif 000008
【図６】
0003158303.tif 000009